(57)【要約】【課題】専門知識を持たない工事担当者でも迅速かつ正確に免震装置設置床の強度判定や選定を行うことができる免震装置設置床評価システムを提供する。【解決手段】顧客のマシン室に関する情報を格納する顧客情報ＤＢ１４と、メーカーごとの機器に関する情報を格納するメーカー仕様ＤＢ１５と、設計に用いる諸データを格納する設計引用ＤＢ１６と、書類及び図面を格納する顧客提出図書ＤＢ１７とを備え、サーバ１０は顧客情報ＤＢ１４からレイアウト図を読み込み、クライアントコンピュータ２０から免震装置を設置するラック及びフロアの仕様及び設計用地震力の入力を受け入れ、強度安全率を算出し、強度安全率が所定の値を下回った場合、クライアントコンピュータ２０から補強工法に関する情報の入力の受け入れと、強度安全率の算出と、強度安全率が所定の値以下であるかの判定とを繰り返す。【選択図】図１
2009145995.tif 000002
【特許請求の範囲】
【請求項１】
サーバと、このサーバにネットワークを介して接続されるクライアントコンピュータと、を備え、
前記サーバは、
機器およびこの機器を収納するラックの諸元データを格納するメーカー仕様データベースと、
顧客のマシン室、このマシン室に設置されるラックおよびそのレイアウトおよび前記ラックに収納される前記機器に関する情報を格納する顧客情報データベースと、
設計に関する基準データを格納する設計引用データベースと、
前記メーカー仕様データベースから指定された前記機器およびこの機器を収納するラックの諸元データを検索し、その検索結果である諸元一覧表を生成する機器諸元データ検索システムと、
顧客により指定された複数個の機器に関する情報に基づき、これらの搭載機器を収納可能なラックサイズを算定し、前記メーカー仕様データベースに登録されたラックを選定し、選定されたラック情報および前記搭載機器諸元の集計情報を顧客のマシン室レイアウト内の設置位置情報とともに前記顧客情報データベースにラック実装情報として登録するラック実装自動計算システムと、
前記顧客情報データベースから前記レイアウト図を読み込み、前記クライアントコンピュータから免震装置を設置する前記ラック及びフロアの仕様及び設計用地震力の入力を受け入れ、前記設計引用データベースから前記フロアの仕様に対応する基準の強さを読み出し、前記基準の強さと前記地震力から求めた応力を基に強度安全率を算出し、前記強度安全率が所定の値を下回った場合、前記クライアントコンピュータから補強工法に関する情報の入力の受け入れと、前記強度安全率の算出と、前記強度安全率が所定の値以下であるかの判定とを繰り返す、免震装置設置床自動評価システムと、
前記免震装置設置床自動評価システムおよび前記ラック実装自動計算システムのいずれかを選択して起動するメニュー手段と、を備え、
このメニュー手段により、前記免震装置設置床自動評価システムが選択起動されたとき、この選択された免震装置設置床自動評価システムが、前記機器諸元データ検索システムにより前記顧客情報データベースに登録されたラック実装情報を検索して利用することを特徴とする免震装置設置床評価システム。
【請求項２】
機器およびこの機器を収納するラックの諸元データを格納するメーカー仕様データベースと、
顧客のマシン室、このマシン室に設置されるラックおよびそのレイアウトおよび前記ラックに収納される前記機器に関する情報を格納する顧客情報データベースと、
設計に関する基準データを格納する設計引用データベースと、
前記メーカー仕様データベースから指定された前記機器およびこの機器を収納するラックの諸元データを検索し、その検索結果である諸元一覧表を生成する機器諸元データ検索システムと、
顧客により指定された複数個の機器に関する情報に基づき、これらの搭載機器を収納可能なラックサイズを算定し、前記メーカー仕様データベースに登録されたラックを選定し、選定されたラック情報および前記搭載機器諸元の集計情報を顧客のマシン室レイアウト内の設置位置情報とともに前記顧客情報データベースにラック実装情報として登録するラック実装自動計算システムと、
前記顧客情報データベースから前記レイアウト図を読み込み、免震装置を設置する前記ラック及びフロアの仕様及び設計用地震力の入力を受け入れ、前記設計引用データベースから前記フロアの仕様に対応する基準の強さを読み出し、前記基準の強さと前記地震力から求めた応力を基に強度安全率を算出し、前記強度安全率が所定の値を下回った場合、補強工法に関する情報の入力の受け入れと、前記強度安全率の算出と、前記強度安全率が所定の値以下であるかの判定とを繰り返す、免震装置設置床自動評価システムと、
前記免震装置設置床自動評価システムおよび前記ラック実装自動計算システムのいずれかを選択して起動するメニュー手段と、を備え、
このメニュー手段により、前記免震装置設置床自動評価システムが選択起動されたとき、この選択された免震装置設置床自動評価システムが、前記機器諸元データ検索システムにより前記顧客情報データベースに登録されたラック実装情報を検索して利用することを特徴とする免震装置設置床評価システム。
【発明の詳細な説明】
【技術分野】
【０００１】
本発明は、サーバなどの電子機器を設置するラックの選定及び選定されたラックを収納するマシン室の設備設計の支援を行うシステムに関する。
【背景技術】
【０００２】
サーバ室などのマシン室の設備設計は、ＩＴ関係に関する専門知識のほか、耐震／免震工事などを行う場合には建築設備に関する専門知識が必要となり、複数部門の支援が不可欠となっていた。
【０００３】
しかし、これらの専門知識を有する者を複数人現場に配置することはコスト効率の点からも、顧客対応の迅速性の点からも望ましくない。
【０００４】
これらの点に関し、設備の設計や計算を省力化するシステムが開発されてきた。収納機器の耐震強度を計算し、適切なボルトを選定するシステム（例えば、特許文献１）が提案されている。
【特許文献１】特開平１１−３５２００５号公報
【発明の開示】
【発明が解決しようとする課題】
【０００５】
しかし、特許文献１に記載の技術においては、ボルトの選定のみしか対応できず、設置フロアの仕様に合った適切な耐震固定方法の選定と部材サイズの算出は行えないという問題点があった。
【０００６】
本発明は上記のような問題点に鑑みてなされたものであり、専門知識を持たない工事担当者でも迅速かつ正確に免震装置設置床の強度判定や選定を行うことができる免震装置設置床評価システムを提供することを目的とする。
【課題を解決するための手段】
【０００７】
この目的を達成するために本発明は、機器の諸元に関する情報およびラックの諸元に関する情報とを格納するメーカー仕様データベースと、顧客毎のマシン室に関する情報およびマシン室別のラック毎の搭載機器に関する情報とを格納する顧客情報データベースと、  設計に関する基準データを格納する設計引用データベースと、を有するサーバと、サーバとネットワークを介して接続するクライアントコンピュータと、を備え、サーバが、免震装置を設置するラック及びフロアの仕様及び設計用地震力とから強度安全率を算出することを特徴とする、免震装置設置床評価システムを提供する。
【発明の効果】
【０００８】
本発明によれば、専門技術の知識を有しない担当者が迅速かつ正確に免震装置設置床の強度判定や選定することが可能となるという効果がある。
【発明を実施するための最良の形態】
【０００９】
以下、本発明による免震装置設置床評価システムの一実施の形態を、図面を用いて詳細に説明する。なお、各図において同一箇所については同一の符号を付すとともに、重複した説明は省略する。
【００１０】
＜実施形態の詳細＞
（第１の実施形態）
＜本実施形態の概要＞
本実施形態の免震装置設置床評価システムは、サーバ１０と、このサーバ１０にネットワーク３０を介して接続されるクライアントコンピュータ２０と、を備える。
【００１１】
サーバ１０は、機器およびこの機器を収納するラックの諸元データを格納するメーカー仕様データベース１５と、顧客のマシン室、このマシン室に設置されるラックおよびそのレイアウトおよびラックに収納される機器に関する情報を格納する顧客情報データベース１４と、設計に関する基準データを格納する設計引用データベース１６と、を備える。
【００１２】
さらに、サーバ１０は、以下のシステムを備える。
【００１３】
メーカー仕様データベースから指定された前記機器およびこの機器を収納するラックの諸元データを検索し、その検索結果である諸元一覧表を生成する機器諸元データ検索システムと、顧客により指定された複数個の機器に関する情報に基づき、これらの搭載機器を収納可能なラックサイズを算定し、メーカー仕様データベース１５に登録されたラックを選定し、選定されたラック情報および搭載機器諸元の集計情報を顧客のマシン室レイアウト内の設置位置情報とともに顧客情報データベースにラック実装情報として登録するラック実装自動計算システム。
【００１４】
顧客情報データベース１４からレイアウト図を読み込み、クライアントコンピュータ２０から免震装置を設置するラック及びフロアの仕様及び設計用地震力の入力を受け入れ、設計引用データベース１６からフロアの仕様に対応する基準の強さを読み出し、基準の強さと地震力から求めた応力を基に強度安全率を算出し、強度安全率が所定の値を下回った場合、クライアントコンピュータ２０から補強工法に関する情報の入力の受け入れと、強度安全率の算出と、強度安全率が所定の値以下であるかの判定とを繰り返す、免震装置設置床自動評価システムと、を備える。
【００１５】
さらに、サーバ１０は免震装置設置床自動評価システムおよびラック実装自動計算システムのいずれかを選択して起動するメニュー手段と、を備える。
【００１６】
サーバ１０は、このメニュー手段により、免震装置設置床自動評価システムが選択起動されたとき、この選択された免震装置設置床自動評価システムが、機器諸元データ検索システムにより顧客情報データベース１４に登録されたラック実装情報を検索して利用する。
【００１７】
＜構成の説明＞
図１は本実施形態における免震装置設置床評価システムの構成を示した図である。図１に示すように、本実施形態の免震装置設置床評価システムは、サーバ１０とネットワーク３０を介して接続されたクライアントコンピュータ２０とを含む。
【００１８】
サーバ１０は、いわゆるサーバコンピュータであり、情報の送受信を行う通信装置１１と、演算を行う演算装置１２と、情報を記憶する記憶装置１３と、顧客毎のマシン室の情報を格納する顧客情報データベース１４と、メーカーごとの機器の仕様を格納するメーカー仕様データベース１５と、設計に使用する数値や値を格納する設計引用データベース１６と、顧客に提出する書面や図面の情報を格納する顧客提出図書データベース１７とを備える。（以下、データベースをＤＢと略す。）
クライアントコンピュータ２０は、いわゆるパーソナルコンピュータであり、通信装置２１と、演算装置２２と、記憶装置２３とを備える。
【００１９】
図２は、本実施形態の免震装置設置床評価システムの概要を示すブロック図である。図２に示すように、本実施形態の免震装置設置床評価システムは顧客情報データベース１４と、メーカー仕様データベース１５と、設計引用データベース１６と、顧客提出図書データベース１７の各データベースと、次の各サブシステムを含む。
【００２０】
機器諸元データ検索システム４１は顧客別マシン室毎のラックに関する情報、マシン室内のレイアウトに関する情報を管理する。
【００２１】
ラック実装自動計算システム４２はラックに搭載する機器である搭載機器を入力してラックのマウント図を作成し、ラックの諸元を集計し、顧客情報データベース１４に格納する。
【００２２】
免震装置設置床自動評価システム４４はラックに搭載する機器の諸元、及びラックの諸元を基にフロアの補強方法及び強度安全率を自動判定する。
【００２３】
図３は顧客情報ＤＢ１４のデータ構成を示した図である。顧客情報ＤＢ１４は、顧客名称を格納する顧客名称テーブル５１１と、マシン室名及び所在地及び必要に応じてその他のマシン室に関する情報を格納するマシン室テーブル５１２と、マシン室レイアウト及び搭載機器名及び必要に応じて搭載する機器に関するその他の情報を格納するレイアウトテーブル５１３と、ラック内での搭載機器の位置を表す搭載機器位置情報及び搭載機器諸元情報及び搭載機器に関するその他の情報を格納する機器諸元テーブル５１４と、を備える。
【００２４】
顧客名称とマシン室名称、マシン室名称とマシン室レイアウト、搭載機器名と搭載機器位置情報と、はそれぞれ関連付けを有するように構成することができる。
【００２５】
図４はメーカー仕様ＤＢ１５のデータ構成を示した図である。メーカー仕様ＤＢ１５は、メーカー名称テーブル５２０と、機器テーブル５２１と、ラックテーブル５２２と、ＵＰＳテーブル５２３と、空調機器テーブル５２４と、冷却ファンテーブル５２５と、を備える。
【００２６】
メーカー名称テーブル５２０はメーカー名称を格納する。
【００２７】
機器テーブル５２１は機器名称、機器の寸法、重量、消費電力、発熱量、標準価格、機器に関するその他の情報を格納する。
【００２８】
ラックテーブル５２２はラック名称、寸法、重量、消費電力、型番、標準価格、ラックに関するその他の情報を格納する。
【００２９】
ＵＰＳテーブル５２３はＵＰＳ名称、寸法、重量、出力容量、型番、標準価格、ＵＰＳに関するその他の情報を格納する。
【００３０】
空調機器テーブル５２４は空調機器名称、冷房能力、消費電力、型番、標準価格、空調機器に関するその他の情報を格納する。
【００３１】
冷却ファンテーブル５２５は冷却ファン名称、冷却能力、消費電力、型番、標準価格、冷却ファンに関するその他の情報を格納する。
【００３２】
メーカー名と機器名称、ラック名称、ＵＰＳ名称、空調機器名称、冷却ファン名称はそれぞれ関連付けを有するように構成することができる。
【００３３】
図５は設計引用ＤＢ１６のデータ構成を示した図である。設計引用ＤＢ１６は、材料テーブル５３１と、照明環境テーブル５３２と、空調環境テーブル５３３と、地震力テーブル５３４とを備える。
【００３４】
材料テーブル５３１は材料名称、強度、熱貫通率、材料に関するその他の情報を格納する。
【００３５】
照明環境テーブル５３２は基準照度、保守率、室指数、光束、照明に関するその他の情報を格納する。
【００３６】
空調環境テーブル５３３は方位別輻射熱量、熱伝導率、地域別温度・湿度、空調に関するその他の情報を格納する。
【００３７】
地震力テーブル５３４は地域係数、地盤種別固有周期、地震に関するその他の情報を格納する。
【００３８】
図６は顧客提出図書ＤＢ１７のデータ構成を示した図である。顧客提出図書ＤＢ１７は書類名テーブル５４１を備える。
【００３９】
書類名テーブル５４１は書類名称、見積金額計算書、図面、冷房能力計算書、ラック耐震計算書、免震装置床強度検証報告書、ラック架台図、ＯＡフロア耐震補強要領図、その他の書面及び図面を格納する。格納された各書面は書類名と関連付けを有するように構成することができる。
【００４０】
＜動作の説明＞
（機器諸元データ検索システム４１）
機器諸元データ検索システム４１は、サーバ１０がクライアントコンピュータ２０から顧客名とマシン室名の入力を受け入れ、顧客情報データベース１４から顧客名とマシン室名を基にマシン室のレイアウトを読み出し、ラックを配置したレイアウト図を生成する。
【００４１】
図７は機器諸元データ検索システム４１におけるサーバ１０の動作を表したフローチャートである。
【００４２】
ステップＳ７０１において、サーバ１０はクライアントコンピュータ２０から顧客名の入力を受け入れる。ステップＳ７０２において、サーバ１０は顧客名を基に顧客情報ＤＢ１４をマシン室名について検索し、結果をクライアントコンピュータ２０に出力する。
【００４３】
ステップＳ７０３において、サーバ１０はクライアントコンピュータ２０からマシン室名の入力を受け入れる。ステップＳ７０４において、サーバ１０は顧客名、マシン室名を基に顧客情報ＤＢ１４をラック名について検索し、結果をクライアントコンピュータ２０に出力する。
【００４４】
ステップＳ７０５において、サーバ１０は印刷指示があったか判定する。印刷指示があった場合はステップＳ７０６に進み、印刷指示がなかった場合はステップＳ７０７に進む。
【００４５】
ステップＳ７０６において、サーバ１０はレイアウト図を生成し、印刷して出力する。レイアウト図の生成は次のように行う。すなわち、顧客情報ＤＢ１４にはマシン室のレイアウトと、各ラックの大きさ、配置位置が座標にて格納されている。サーバ１０はマシン室のレイアウトと、各ラックの図を合成して生成する。
【００４６】
ステップＳ７０７において、サーバ１０はクライアントコンピュータ２０からラック名称の選択入力があったか判定する。サーバ１０は、選択入力があった場合ステップS７０８に進み、選択入力がなかった場合ステップＳ７０１に戻る。
【００４７】
ステップＳ７０８において、サーバ１０はラック名を基に顧客情報ＤＢ１４をラックの諸元について検索し、結果をクライアントコンピュータ２０に出力する。
【００４８】
ステップＳ７０９において、サーバ１０は印刷指示があったか判定する。印刷指示があった場合はステップＳ７１０に進み、印刷指示がなかった場合は処理を終了する。
【００４９】
ステップＳ７１０において、サーバ１０は機器諸元表を印刷し、処理を終了する。機器諸元表には、例えば次のような項目、すなわちラック毎に実装機器の寸法、重量、Ｕ数、消費電力、ラックの寸法、メーカー、ラック重心の高さ、などが印刷される。
【００５０】
図８はレイアウト図の例を示した図である。図８においては、点線はあらかじめ設定された長さを表す升目であり、ラック１乃至ラック３は各ラックがマシン室内における位置に設置されるかを示す。図８においてはラックの位置のほかにマシン室であるサーバ室全体の諸元を表示している。
【００５１】
（ラック実装自動計算システム４２）
ラック実装自動計算システム４２は、サーバ１０がクライアントコンピュータ２０からラックに実装する機器である搭載機器の入力を受け入れ、メーカー仕様データベース１５から入力された搭載機器の諸元を読み込み、入力された搭載機器を収納可能なラックをメーカー仕様データベース１５から読み出す。
【００５２】
また、サーバ１０がクライアントコンピュータ２０からマシン室におけるラックの位置に関する情報の入力を受け入れ、顧客情報データベース１４からマシン室に設置するラックに関する情報を読み込み、ラックを配置したレイアウト図を生成する。
【００５３】
また、サーバ１０は搭載機器のうちサーバ系の機器があらかじめ定められた割合を越えたとき、堅牢なラックを選択する。サーバ１０は搭載機器のうちＬＡＮ系の機器があらかじめ定められた割合を越えたとき、収納率の高いラックを選択する。
【００５４】
さらに、サーバ１０は発熱量の最も大きい搭載機器をラックの上方に配置し、重量の最も大きい搭載機器をラックの下方に配置する。
【００５５】
また、サーバ１０は顧客情報データベース１４から、ラックの諸元とこのラックの搭載機器を読み出し、搭載機器を搭載した状態のラック全体の重心を算出する。サーバ１０は顧客情報データベース１４から、ラックの諸元とこのラックの搭載機器を読み出し、搭載機器を搭載した状態のラック全体の実装図を生成する。
【００５６】
図９はラック実装自動計算システム４２におけるサーバ１０の動作を表したフローチャートである。
【００５７】
ステップＳ８０１において、サーバ１０はクライアントコンピュータ２０からラック要求仕様の入力を受け入れる。ラック要求仕様とは、顧客が要望するラックが備えるべき最低限の仕様である。
【００５８】
ステップＳ８０２において、サーバ１０はラック要求仕様を基にメーカー仕様ＤＢ１５をラックについて検索し、結果をクライアントコンピュータ２０に出力する。
【００５９】
ステップＳ８０３において、サーバ１０はクライアントコンピュータ２０から搭載機器の入力を受け入れる。ステップＳ８０４において、サーバ１０は搭載機器を基にメーカー仕様ＤＢ１５を機器諸元について検索・更新し、結果をクライアントコンピュータ２０に出力する。
【００６０】
ステップＳ８０５において、サーバ１０はクライアントコンピュータ２０から搭載機器のラックへの実装順の入力を受け入れる。
【００６１】
ステップＳ８０６において、サーバ１０はクライアントコンピュータ２０に、ラックに搭載機器を実装したときの様子を示す実装図と、実装した搭載機器の諸元表を表示する。
【００６２】
ステップＳ８０７において、サーバ１０は印刷指示があったか判定する。印刷指示があった場合はステップＳ８０８に進み、印刷指示がなかった場合はステップＳ８０９に進む。ステップＳ８０８において、サーバ１０は実装図及び諸元表を印刷して出力する。
【００６３】
ステップＳ８０９において、サーバ１０は諸元表の数値を基にメーカー仕様ＤＢ１５をラックについて検索し、結果をクライアントコンピュータ２０に出力する。ここで、諸元表の数値は、例えば搭載機器の厚さの単位であるＵ数の合計値を用いることができる。
【００６４】
ステップＳ８１０において、サーバ１０はクライアントコンピュータ２０からラックメーカー及び型番の入力があったか判定する。入力があった場合はステップＳ８１１に進み、入力がなかった場合はステップＳ８０１に戻る。
【００６５】
ステップＳ８１１において、ラック名を基にメーカー仕様ＤＢ１５をラック諸元について検索し、結果をクライアントコンピュータ２０に出力する。
【００６６】
ステップＳ８１２において、サーバ１０は印刷指示があったか判定する。印刷指示があった場合はステップＳ８１３に進み、印刷指示がなかった場合は図１０のステップＳ９０１に進む。ステップＳ８１３において、サーバ１０はラック仕様を印刷して出力する。
【００６７】
図１０はラック実装自動計算システム４２におけるサーバ１０の動作を表したフローチャートの続きである。
【００６８】
ステップＳ９０１において、サーバ１０はクライアントコンピュータ２０から顧客名およびマシン室名の入力を受け入れる。
【００６９】
ステップＳ９０２において、サーバ１０は顧客名及びマシン室名を基に顧客情報ＤＢ１４をマシン室レイアウトについて検索し、結果をクライアントコンピュータ２０に出力する。
【００７０】
ステップＳ９０３において、サーバ１０はクライアントコンピュータ２０からラックのマシン室における位置の入力を受け入れる。
【００７１】
ステップＳ９０４において、サーバ１０は顧客情報ＤＢ１４をマシン室のレイアウトについて更新する。
【００７２】
ステップＳ９０５において、サーバ１０は印刷指示があったか判定する。印刷指示があった場合はステップＳ９０６に進み、印刷指示がなかった場合は処理を終了する。ステップＳ９０６において、サーバ１０はレイアウト図を印刷して出力し、処理を終了する。
【００７３】
図１１は入力画面の一つである「ラック要求仕様入力」画面を示した図である。図１１に示すように、「ラック要求仕様入力」画面においてはラック１３０のパネル仕様、フレーム材質、扉仕様のほか、必要に応じてその他の項目を選択入力することができる。
【００７４】
図１１においては扉つきのラック１３０が示されているが、ラック１３０の種類はこれに限られない。ラック１３０に収納される機器にも制限はなく、サーバ、拡張記憶装置ＵＰＳのほか、モニタ、キーボードなども収納可能である。
【００７５】
図１２は実装図及び諸元表を示した図である。実装図において黒く塗りつぶした長方形は搭載機器を表し、縦の長さは搭載機器の高さ（Ｕ数）に相当する。図１２に示したほかに、ラックの高さ、ラックの幅、ラックの奥行、重量の合計、ラックの重心位置、発熱量の合計、消費電力の合計などを追加して記載することもできる。
【００７６】
ここで、Ｕ数について説明する。図１６は搭載機器とラックの取り付け部位を示した図である。図１６（ａ）において、ｈは搭載機器２４０の高さを表す。また、図１６（ｂ）は、ラックの内部側面に設置された取り付けビス穴を示している。取り付けビス穴は等間隔に設けられている。この間隔一つ分は、高さｈが１Ｕ（４４．４５ｍｍ）の搭載機器を取り付けるのに適した間隔にて設けられている。
【００７７】
搭載機器は通常１Ｕの整数倍の高さを有するように設計されているため、ラックの中に複数の機器を整然と収納することが可能である。
【００７８】
（免震装置設置床自動評価システム４４）
免震装置設置床自動評価システム４４においては、サーバ１０は顧客情報データベース１４からレイアウト図を読み込み、クライアントコンピュータ２０から免震装置を設置するラック及びフロアの仕様及び設計用地震力の入力を受け入れ、強度安全率を算出し、強度安全率が所定の値を下回った場合、クライアントコンピュータ２０から補強工法に関する情報の入力を受け入れと、強度安全率を算出と、強度安全率が所定の値以上であるかの判定とを繰り返す。
【００７９】
図１７は免震装置設置床自動評価システム４４におけるサーバ１０の動作を表したフローチャートである。
【００８０】
ステップＳ１３０１において、サーバ１０はクライアントコンピュータ２０から顧客名、マシン室名の入力を受け入れる。
【００８１】
ステップＳ１３０２において、サーバ１０は顧客名、マシン室名を基に顧客情報ＤＢ１４をレイアウト図について検索し、結果をクライアントコンピュータ２０に出力する。
【００８２】
ステップＳ１３０３において、サーバ１０はクライアントコンピュータ２０から免震装置を設置するラック群の入力を受け入れる。
【００８３】
ステップＳ１３０４において、サーバ１０はクライアントコンピュータ２０からＯＡフロア仕様の入力を受け入れる。ＯＡフロアの仕様は、例えばＯＡフロアパネルサイズ及び材質、支柱サイズ及び材質、スラブ定着方法などが挙げられる。
【００８４】
ステップＳ１３０５において、サーバ１０はクライアントコンピュータ２０から設計用地震力の入力を受け入れる。地震力は例えば３段階のレベル分けを行い、その中から選択入力するように構成することができる。
【００８５】
ステップＳ１３０６において、サーバ１０は免震装置設置エリアの免震効果による応答加速度低減を考慮した地震時ラック作用力を算出する。
【００８６】
ステップＳ１３０７において、サーバ１０は印刷指示があったか判定する。印刷指示があった場合はステップＳ１３０８に進み、印刷指示がなかった場合はステップＳ１３０９に進む。ステップＳ１３０８において、サーバ１０は免震装置設置床へのラック作用力計算表を印刷して出力し、ステップＳ１３０８に進む。
【００８７】
ステップＳ１３０９において、サーバ１０は免震装置設置エリアのＯＡフロア強度検証を行う。強度検証内容は、例えばパネル強度・パネルたわみ性能、支柱強度、ベースプレート強度、ベースプレート付着強度の検証などが挙げられる。
【００８８】
ステップＳ１３１０において、サーバ１０は印刷指示があったか判定する。印刷指示があった場合はステップＳ１３１１に進み、印刷指示がなかった場合は図１８に示すステップＳ１４０１に進む。ステップＳ１３１１において、サーバ１０は免震装置設置床の強度計算表を印刷して出力し、図１８に示すステップＳ１４０１に進む。
【００８９】
図１８は免震装置設置床自動評価システム４４におけるサーバ１０の動作を表したフローチャートの続きである。
【００９０】
ステップＳ１４０１において、サーバ１０はＯＡフロア各部位の強度安全率を算出する。
【００９１】
ステップＳ１４０２において、サーバ１０は算出した強度安全率が１．０未満かを判定する。強度安全率が１．０未満であった場合はステップＳ１４１３に進み、１．０未満でなかった場合はステップＳ１４０３に進む。
【００９２】
ステップＳ１４０３において、サーバ１０はＯＡフロア補強案の選択入力を受け付ける。選択された補強案が「ＯＡフロア斜材補強工法」であった場合にはステップＳ１４０４に、「ＯＡフロア支柱補強工法」であった場合にはステップＳ１４０７に、「ＯＡフロアねがらみ補強工法」であった場合にはステップＳ１４１０に進む。
【００９３】
ステップＳ１４０４において、サーバ１０はＯＡフロア斜材補強工法によりＯＡフロア補強を設計する。
【００９４】
ステップＳ１４０５において、サーバ１０はＯＡフロア各部位の強度安全率を算出する。
【００９５】
ステップＳ１４０６において、サーバ１０は算出した強度安全率が１．０未満かを判定する。強度安全率が１．０未満であった場合はステップＳ１４１３に進み、１．０未満でなかった場合はステップＳ１４０３に進む。
【００９６】
ステップＳ１４０７において、サーバ１０はＯＡフロア支柱補強工法によりＯＡフロア補強を設計する。
【００９７】
ステップＳ１４０８において、サーバ１０はＯＡフロア各部位の強度安全率を算出する。
【００９８】
ステップＳ１４０９において、サーバ１０は算出した強度安全率が１．０未満かを判定する。強度安全率が１．０未満であった場合はステップＳ１４１３に進み、１．０未満でなかった場合はステップＳ１４０３に進む。
【００９９】
ステップＳ１４１０において、サーバ１０はＯＡフロア根がらみ補強工法によりＯＡフロア補強を設計する。
【０１００】
ステップＳ１４１１において、サーバ１０はＯＡフロア各部位の強度安全率を算出する。
【０１０１】
ステップＳ１４１２において、サーバ１０は算出した強度安全率が１．０未満かを判定する。強度安全率が１．０未満であった場合はステップＳ１４１３に進み、１．０未満でなかった場合はステップＳ１４０３に進む。
【０１０２】
ステップＳ１４１３において、サーバ１０は顧客提出用計算書及び図面の編集を行い、顧客提出図書ＤＢ１７に格納し、処理を終了する。
【０１０３】
＜本実施形態の効果＞
以上述べたように、本実施形態の免震装置設置床評価システムは、顧客のマシン室に関する情報を格納する顧客情報ＤＢ１４と、メーカーごとの機器に関する情報を格納するメーカー仕様ＤＢ１５と、設計に用いる諸データを格納する設計引用ＤＢ１６と、書類及び図面を格納する顧客提出図書ＤＢ１７とを備え、これらのデータベースから情報を検索して免震装置設置床の強度判定や選定を行う。
【０１０４】
このため、本実施形態の免震装置設置床評価システムは、専門技術の知識を有しない担当者が迅速かつ正確に免震装置設置床の強度判定や選定を行うことが可能となるという効果がある。
【０１０５】
（第２の実施形態）
＜本実施形態の概要＞
本実施形態の免震装置設置床評価システムは、機器およびこの機器を収納するラックの諸元データを格納するメーカー仕様データベース１５と、顧客のマシン室、このマシン室に設置されるラックおよびそのレイアウトおよびラックに収納される機器に関する情報を格納する顧客情報データベース１４と、設計に関する基準データを格納する設計引用データベース１６と、を備える。
【０１０６】
さらに、本実施形態の免震装置設置床評価システムは、以下のシステムを備える。
【０１０７】
メーカー仕様データベースから指定された前記機器およびこの機器を収納するラックの諸元データを検索し、その検索結果である諸元一覧表を生成する機器諸元データ検索システムと、顧客により指定された複数個の機器に関する情報に基づき、これらの搭載機器を収納可能なラックサイズを算定し、メーカー仕様データベース１５に登録されたラックを選定し、選定されたラック情報および搭載機器諸元の集計情報を顧客のマシン室レイアウト内の設置位置情報とともに顧客情報データベースにラック実装情報として登録するラック実装自動計算システム。
【０１０８】
顧客情報データベース１４からレイアウト図を読み込み、免震装置を設置するラック及びフロアの仕様及び設計用地震力の入力を受け入れ、設計引用データベース１６からフロアの仕様に対応する基準の強さを読み出し、基準の強さと地震力から求めた応力を基に強度安全率を算出し、強度安全率が所定の値を下回った場合、補強工法に関する情報の入力の受け入れと、強度安全率の算出と、強度安全率が所定の値以下であるかの判定とを繰り返す、免震装置設置床自動評価システムと、を備える。
【０１０９】
さらに、本実施形態の免震装置設置床評価システムは免震装置設置床自動評価システムおよびラック実装自動計算システムのいずれかを選択して起動するメニュー手段と、を備える。
【０１１０】
本実施形態の免震装置設置床評価システムは、このメニュー手段により、免震装置設置床自動評価システムが選択起動されたとき、この選択された免震装置設置床自動評価システムが、機器諸元データ検索システムにより顧客情報データベース１４に登録されたラック実装情報を検索して利用する。
【０１１１】
＜構成の説明＞
図１５は本実施形態における免震装置設置床評価システムの構成を示した図である。図１５に示すように、本実施形態の免震装置設置床評価システムは、パーソナルコンピュータ４０を含む。
【０１１２】
パーソナルコンピュータ４０は、演算を行う制御部５１と、情報を入出力する入出力装置５２と、情報を記憶する記憶装置１３と、顧客毎のマシン室の情報を格納する顧客情報ＤＢ１４と、メーカーごとの機器の仕様を格納するメーカー仕様ＤＢ１５と、設計に使用する数値や値を格納する設計引用ＤＢ１６と、顧客に提出する書面や図面の情報を格納する顧客提出図書ＤＢ１７とを備える。
【０１１３】
本実施形態の免震装置設置床評価システムの概要は、図２に示す第１の実施形態におけるものと同様である。
【０１１４】
本実施形態における顧客情報データベース１４と、メーカー仕様データベース１５と、設計引用データベース１６と、顧客提出図書データベース１７のデータ構成は、第１の実施形態におけるものと同様である。
【０１１５】
＜動作の説明＞
本実施形態における制御部５１の動作は、第１の実施形態におけるサーバ１０の動作と同様である。また、本実施形態において、第１の実施形態のクライアントコンピュータ２０はパーソナルコンピュータ４０の入出力装置５２に該当する。
【０１１６】
（機器諸元データ検索システム４１）
機器諸元データ検索システム４１は、制御部４１が顧客名とマシン室名の入力を入出力装置４２から受け入れ、顧客情報データベース１４から顧客名とマシン室名を基にマシン室のレイアウトを読み出し、ラックを配置したレイアウト図を生成する。
【０１１７】
（ラック実装自動計算システム４２）
ラック実装自動計算システム４２は、制御部４１がラックに実装する機器である搭載機器の入力を入出力装置４２から受け入れ、メーカー仕様データベース１５から入力された搭載機器の諸元を読み込み、入力された搭載機器を収納可能なラックをメーカー仕様データベース１５から読み出す。
【０１１８】
また、ラック実装自動計算システム４２は、制御部４１がマシン室におけるラックの位置に関する情報の入力を入出力装置４２から受け入れ、顧客情報データベース１４からマシン室に設置するラックに関する情報を読み込み、ラックを配置したレイアウト図を生成する。
【０１１９】
また、ラック実装自動計算システム４２は、制御部４１が搭載機器のうちサーバ系の機器があらかじめ定められた割合を越えたとき、堅牢なラックを選択する。ラック実装自動計算システム４２は、搭載機器のうちＬＡＮ系の機器があらかじめ定められた割合を越えたとき、収納率の高いラックを選択する。
【０１２０】
さらに、ラック実装自動計算システム４２は、制御部４１が発熱量の最も大きい搭載機器をラックの上方に配置し、重量の最も大きい搭載機器をラックの下方に配置する。
【０１２１】
また、ラック実装自動計算システム４２は、制御部４１が顧客情報データベース１４から、ラックの諸元とこのラックの搭載機器を読み出し、搭載機器を搭載した状態のラック全体の重心を算出する。ラック実装自動計算システム４２は、顧客情報データベース１４から、ラックの諸元とこのラックの搭載機器を読み出し、搭載機器を搭載した状態のラック全体の実装図を生成する。
【０１２２】
（免震装置設置床自動評価システム４４）
免震装置設置床自動評価システム４４は制御部４１が顧客情報データベース１４からレイアウト図を読み込み、免震装置を設置するラック及びフロアの仕様及び設計用地震力の入力を入出力装置４２から受け入れ、強度安全率を算出し、強度安全率が所定の値を下回った場合、補強工法に関する情報の入力の受け入れと、強度安全率の算出と、強度安全率が所定の値以下であるかの判定とを繰り返す。
【０１２３】
＜本実施形態の効果＞
以上述べたように、本実施形態の免震装置設置床評価システムは、第１の実施形態の免震装置設置床評価システムをパーソナルコンピュータ４０において実施する。
【０１２４】
このため、本実施形態の免震装置設置床評価システムは、パーソナルコンピュータ４０を客先まで持ち運び、シミュレートしながら各種設計を行うことにより、顧客の要請への迅速な対応が可能となるという効果がある。
【０１２５】
＜本発明の具体化における可能性＞
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１２６】
【図１】第１の実施形態における免震装置設置床評価システムの構成を示した図である。
【図２】第１の実施形態の免震装置設置床評価システムの概要を示すブロック図である。
【図３】顧客情報ＤＢのデータ構成を示した図である。
【図４】メーカー仕様ＤＢのデータ構成を示した図である。
【図５】設計引用ＤＢのデータ構成を示した図である。
【図６】顧客提出図書ＤＢのデータ構成を示した図である。
【図７】機器諸元データ検索システムにおけるサーバの動作を表したフローチャートである。
【図８】レイアウト図の例を示した図である。
【図９】ラック実装自動計算システムにおけるサーバの動作を表したフローチャートである。
【図１０】ラック実装自動計算システムにおけるサーバの動作を表したフローチャートの続きである。
【図１１】入力画面の一つである「ラック要求仕様入力」画面を示した図である。
【図１２】実装図及び諸元表を示した図である。
【図１３】免震装置設置床自動評価システムにおけるサーバの動作を表したフローチャートである。
【図１４】免震装置設置床自動評価システムにおけるサーバの動作を表したフローチャートの続きである。
【図１５】第２の実施形態における免震装置設置床評価システムの構成を示した図である。
【図１６】搭載機器とラックの取り付け部位を示した図である。
【符号の説明】
【０１２７】
１０：サーバ、
１４：顧客情報ＤＢ、
１５：メーカー仕様ＤＢ、
１６：設計引用ＤＢ、
１７：顧客提出図書ＤＢ、
２０：クライアントコンピュータ、
３０：ネットワーク。
【図１】
2009145995.tif 000003
【図２】
2009145995.tif 000004
【図３】
2009145995.tif 000005
【図４】
2009145995.tif 000006
【図５】
2009145995.tif 000007
【図６】
2009145995.tif 000008
【図７】
2009145995.tif 000009
【図８】
2009145995.tif 000010
【図９】
2009145995.tif 000011
【図１０】
2009145995.tif 000012
【図１１】
2009145995.tif 000013
【図１２】
2009145995.tif 000014
【図１３】
2009145995.tif 000015
【図１４】
2009145995.tif 000016
【図１５】
2009145995.tif 000017
【図１６】
2009145995.tif 000018